(57)【特許請求の範囲】
【請求項１】
観察対象の物体からの光を入射しアフォーカル光として出射する対物光学系を内蔵し架台に支持された鏡体と、前記アフォーカル光を結像し物体の左右眼像を作る結像光学系及び前記左右眼像をそれぞれ観察者の左右眼に入射せしめる接眼光学系をそれぞれ内蔵した２つの接眼鏡筒とを有した手術用顕微鏡において、
前記対物光学系と前記結像光学系との間に設けられ、前記対物光学系からの光を入射させる入射面と、前記入射した光の一部を一方の第１接眼鏡筒に向けて第１出射光として透過させるとともに前記入射した光の他の一部を前記入射面側へある角度をもって向かうべく反射させる半透過半反射面と、前記入射面側へ向かう光を反射し前記第１出射光の出射方向と直交しない斜め上方に向けて第２出射光として出射させる出射用反射面と、を有した第１プリズムと、
前記第１プリズムから出射する第２出射光の光軸に対してある角度をもって斜めに配置され、且つ前記第２出射光を反射させる第１反射面、及び前記第１反射面で反射した前記第２出射光を再び前記第１反射面側に位置して形成した出射面に向かうべく反射させる第２反射面を有し、前記第２反射面で反射し前記出射面側から他方の第２接眼鏡筒に向けて出射する光を第３出射光とし、この第３出射光の光軸方向を前記第２出射光の光軸方向に対してある角度をもって斜めに配置した第２プリズムと、
を備え、
前記第１プリズムは第１ハウジングに内蔵され、前記第２プリズムは第２ハウジングに内蔵され、前記第１ハウジングと前記第２ハウジングは互いに前記第１プリズムに対して前記第２プリズムが左右の前記第２出射光の光軸間の中心に位置する軸周りに回動すべく接続され、さらに、前記第１ハウジングの入射側に前記鏡体を接続し、前記第１ハウジングの第１出射光の出射側には前記第１接眼鏡筒を接続し、前記第２ハウジングの前記第３出射光の出射側には前記第２接眼鏡筒を前記第２プリズムから出射する左右の前記第３出射光の光軸間の中心に位置する軸まわりに回転すべく接続したことを特徴とする手術用顕微鏡。
【請求項２】
前記対物光学系の左右光軸の中心に位置する軸まわりに前記第１プリズムが回転すべく前記第１ハウジングが前記鏡体に接続されたことを特徴とする請求項１に記載の手術用顕微鏡。
【請求項３】
前記第１ハウジングと前記第１接眼鏡筒との間に前記第１プリズムからの第１出射光を反射して前記第１出射光の向きを変更し第４出射光を作る第３プリズムを配置するとともに、前記第１ハウジングと前記第１接眼鏡筒とは、前記第３プリズムの左右の第４出射光の光軸間の中心に位置する軸まわりに回動すべく接続されたことを特徴とする請求項１または請求項２に記載の手術用顕微鏡。
【請求項４】
前記第１プリズムの、半透過半反射面を含めた、第２出射光を反射させる反射面の数と、前記第２プリズムの第２出射光を反射させる反射面の数が互いに奇数または偶数で同じ数であることを特徴とする請求項１、請求項２または請求項３に記載の手術用顕微鏡。
【発明の詳細な説明】
【０００１】
【発明の属する技術分野】
本発明は、物体の左右眼像を作る結像光学系および前記左右眼像をそれぞれ観察者の左右眼に入射せしめる接眼光学系を備えた手術用顕微鏡に関する。
【０００２】
【従来の技術】
今日、手術用顕微鏡を用いる手術、いわゆるマイクロサージャリは、高度かつ精密化し、特に手術用顕微鏡を２人で観察しながら手術をしたり、あるいは様々な方向から術部にアプローチするようになってきた。従来の手術用顕微鏡が、特公平６−２２５０２号公報、特公昭４７−４１４７３号公報または実公昭５５−３９３６４号公報において知られている。
【０００３】
【発明が解決しようとする課題】
ところが、従来の手術用顕微鏡には以下のような問題があった。まず、特公平６−２２５０２号公報で知られる手術用顕微鏡は２つの接眼鏡筒の位置関係が１８０゜に固定され、しかも、顕微鏡先端部分に多くの光学部材を集中的に配置する構成であるため、その対物レンズ付近が大型化し、手術作業の邪魔になるという問題があった。さらに、９０°反射型のビームスプリッタにより対物レンズに入射する光束を分割しているので、手術用顕微鏡の下面から接眼レンズに到る距離が長くなり、作業空間が狭められてしまう問題もあった。
【０００４】
一方、特公昭４７−４１４７３号公報および実公昭５５−３９３６４号公報の手術用顕微鏡においては、２人の観察者の手術用顕微鏡を覗き込む角度が１８０°や９０°に限定されており、術部へのアプローチ方向によっては１人の観察者しか観察できないという問題があった。
【０００５】
本発明は前記課題に着目してなされたもので、その目的とするところは、従来技術の手術作業の邪魔になる大型化や作業空間が狭められるという問題点を解消した２人観察用の手術用顕微鏡を提供することにある。
【０００６】
【課題を解決するための手段及び作用】
（構成）
本発明は、観察対象の物体からの光を入射しアフォーカル光として出射する対物光学系を内蔵し架台に支持された鏡体と、前記アフォーカル光を結像し物体の左右眼像を作る結像光学系及び前記左右眼像をそれぞれ観察者の左右眼に入射せしめる接眼光学系をそれぞれ内蔵した２つの接眼鏡筒とを有した手術用顕微鏡において、
前記対物光学系と前記結像光学系との間に設けられ、前記対物光学系からの光を入射させる入射面と、前記入射した光の一部を一方の第１接眼鏡筒に向けて第１出射光として透過させるとともに前記入射した光の他の一部を前記入射面側へある角度をもって向かうべく反射させる半透過半反射面と、前記入射面側へ向かう光を反射し前記第１出射光の出射方向と直交しない斜め上方に向けて第２出射光として出射させる出射用反射面と、を有した第１プリズムと、
前記第１プリズムから出射する第２出射光の光軸に対してある角度をもって斜めに配置され、且つ前記第２出射光を反射させる第１反射面、及び前記第１反射面で反射した前記第２出射光を再び前記第１反射面側に位置して形成した出射面に向かうべく反射させる第２反射面を有し、前記第２反射面で反射し前記出射面側から他方の第２接眼鏡筒に向けて出射する光を第３出射光とし、この第３出射光の光軸方向を前記第２出射光の光軸方向に対してある角度をもって斜めに配置した第２プリズムと、
を備え、
前記第１プリズムは第１ハウジングに内蔵され、前記第２プリズムは第２ハウジングに内蔵され、前記第１ハウジングと前記第２ハウジングは互いに前記第１プリズムに対して前記第２プリズムが左右の前記第２出射光の光軸間の中心に位置する軸周りに回動すべく接続され、さらに、前記第１ハウジングの入射側に前記鏡体を接続し、前記第１ハウジングの第１出射光の出射側には前記第１接眼鏡筒を接続し、前記第２ハウジングの前記第３出射光の出射側には前記第２接眼鏡筒を前記第２プリズムから出射する左右の前記第３出射光の光軸間の中心に位置する軸まわりに回転すべく接続したことを特徴とする手術用顕微鏡である。
【０００７】
（作用）
物体からの光は対物光学系を介してアフォーカル光となり、第１プリズムに入射する。第１プリズムに入射したアフォーカル光の一部は第１出射光となり、結像光学系、接眼光学系を介して一方の観察者の左右眼に入射する。アフォーカル光の他の一部は第１プリズムの入射面側へある角度をもって反射された後、再び前記第１反射面で反射され第２出射光となり第２プリズムに入射する。第２プリズムに入射した光は第２プリズムの第１反射面で反射された後、第２反射面で再び反射され第３出射光となり、結像光学系、接眼光学系を介してもう一方の観察者の左右眼に入射する。ここで、第１プリズムに対して第２プリズムを回動させると、第２プリズムを内蔵している第２ハウジングに接続された接眼鏡筒も回動し、一方の接眼鏡筒の向きに対するもう一方の接眼鏡筒の向きが変わる。
【０００８】
【発明の実施の形態】
＜第１実施形態＞
図１から図６を参照して、本発明の第１実施形態を説明する。
（構成）
図１において、１は手術用顕微鏡の鏡体であり、これの先端部分には対物光学系の対物レンズ２が内蔵されている。３は第１ハウジングであり、これには前記鏡体１に接続された第１プリズム４を内蔵する。５は第２ハウジングであり、これには第２プリズム６が内蔵されている。第２ハウジング５は前記第１ハウジング３に対して後述の光軸Ｏ2 を中心に回動すべく接続されている。７ａ，７ｂはそれぞれ接眼鏡筒であり、一方の接眼鏡筒７ａは前記第１ハウジング３に接続され、結像光学系８ａおよび接眼光学系９ａを内蔵する。他方の接眼鏡筒７ｂは前記第２ハウジング５に接続され、結像光学系８ｂおよび接眼光学系９ｂを内蔵する。
【０００９】
ここで、第２ハウジング５に接続された接眼鏡筒７ｂの中心軸の向きは第１ハウジング３に接続された接眼鏡筒７ａの中心軸の向きに対して９０°回転する向きで側方へ向いている。また、前記各接眼鏡筒７ａ，７ｂにおいて、その結像光学系８ａ，８ｂと接眼光学系９ａ，９ｂとの間には図示しない像正立化プリズムが配設されている。
【００１０】
次に、第１プリズム４と第２プリズム６、および各光軸について具体的に説明する。まず、第１プリズム４は、鏡体１側の面を入射面１０とし、その反対側の面を半透過半反射面１１としてある。そして、半透過半反射面１１は前記対物光学系側から入射面１０を通して入射させた光の一部を第１出射光として透過させる一方、前記光の他の一部を前記入射面１０に対してある角度をもって向かうべく反射させるとともに、入射面１０で反射させる光を第２出射光とするようになっている。
【００１１】
第１出射光の光軸Ｏ1 は前記対物レンズ２の光軸であると同時に第１ハウジング３に接続された接眼鏡筒７ａの左右光軸の中心に位置する対称軸でもある。第２出射光の光軸Ｏ2 は前記第１出射光の光軸Ｏ1 が前記半透過半反射面１１および入射面１０により偏向されて形成され、前記第１プリズム４から第２プリズム６に向けて配置される。
【００１２】
前記第２プリズム６は接眼鏡筒７ｂ側の面を出射面１２とし、その反対側の面を全反射面１３としてある。出射面１２は前記第１出射光の光軸Ｏ1 に対して垂直で前記第２出射光の光軸に対してある角度をもって斜めに配置されている。そして、第２プリズム６に入射した第２出射光の光束は一旦、第２プリズム６の出射面１２で反射し、再び第２プリズム６の全反射面１３で反射して第３出射光となり、出射面１２から接眼鏡筒７ａの光学系に入射する。第３出射光の光軸は接眼鏡筒７ｂの中心軸Ｏ3 に平行に配置されている。
【００１３】
図１中矢印Ａ方向から見た図２で示すように前記鏡体１の側面には鏡体支持アーム１４が一体的に取り付けられている。鏡体支持アーム１４の先端は鏡体１を所望の位置に移動可能な周知の架台のアーム先端部１５に連結されている。そして、前記鏡体支持アーム１４は前記架台のアーム先端部１５に対して紙面に垂直な軸Ｏｐを中心として回動自在に支持されている。
【００１４】
（作用）
この手術用顕微鏡で物体面Ｘを観察する場合、物体面Ｘを発した光は対物レンズ２を介してアフォーカルな光束となり、第１プリズム４にその反射面１０から入射する。この入射光束は第１プリズム４の半透過半反射面１１で、これを透過する第１出射光と反射する第２出射光とに分れる。
【００１５】
半透過半反射面１１を透過した第１出射光の部分光束は接眼鏡筒７ａにおける２組の結像光学系８ａ，８ａを介して結像面Ｙにそれぞれ結像し、物体の左右眼像を作る。左右眼像はそれぞれの接眼光学系９ａを介し、一方の観察者の左右眼に入射する。
【００１６】
一方、前記半透過半反射面１１で反射した光束は前記第１プリズム４の入射面１０で反射して第２出射光となり、第２ハウジング５の第２プリズム６に入射する。第２プリズム６に入射した光束は一旦、第２プリズム６の出射面１２で反射し、第２プリズム６の全反射面１３で再び反射して第３出射光となり、第１出射光と同様にして、接眼鏡筒７ｂにおける２組の結像光学系８ｂ，８ｂを介して結像面Ｙにそれぞれ結像し、物体の左右眼像を作る。左右眼像はそれぞれの接眼光学系９ｂを介し、もう１人の観察者の左右眼に入射する。
【００１７】
ここで、２人の観察者が軸Ｏ1 まわりで接眼鏡筒７ａ，７ｂを覗き込む相対角度は９０°であるが、それぞれの観察者が作業するのにふさわし正しい向き、正しい視差の左右眼像が提供されている。
【００１８】
次に、図１のように物体を、上方向から観察している状態から、物体を横方向から観察する状態に変更するためには、図２において架台のアーム先端部１５に対して鏡体支持アーム１４を軸Ｏｐを中心に回動させると共に、第１ハウジング３に対して第２ハウジング５を第２出射光の光軸Ｏ2 を中心に回動させれば、図２の状態から図３の状態に変えることができる。なお、図４は図３の姿勢を同図３の矢印Ｂ方向から見た状態である。
【００１９】
すなわち、２人の観察者は略横に並んで接眼鏡筒７ａ，７ｂを覗き込むようになるが、この場合、第１ハウジング３に対して、第２ハウジング５が光軸Ｏ2 周りに９０゜回転し、第２ハウジング３に対して接眼鏡筒７ｂがその中心軸周りに９０゜で回転させる。つまり、第２ハウジング５と接眼鏡筒７ｂを逆向きに同じ量で回転させる。従って、それぞれの観察者に同一の、正しい向き、正しい視差の左右眼像が提供される。
【００２０】
（効果）
本実施形態は、第１ハウジング３に対して第２ハウジング５を回動自在に接続しただけの簡単な構成で上方向からの観察と横方向から観察の変更が可能となった。本実施形態では変倍光学系を省略したが、例えば対物レンズ２と第１プリズム４の間、第１プリズム４と接眼鏡筒７ａの間、第２プリズム６と接眼鏡筒７ｂの間などに周知のドラムまたはターレット型変倍レンズを挿入することにより変倍させることができる。
【００２１】
さらに、左右光軸の対称軸Ｏ1 を中心に第１プリズム４を回動すべく鏡体１に対して第１ハウジング３を接続すれば、一方の接眼鏡筒７ａのまわりに他方の接眼鏡筒７ａを回転させてその位置を選択できる。例えば図５や図６の状態に変えてより多くの方向からの観察が可能になる。
【００２２】
＜第２実施形態＞
図７および図８を参照して本発明の第２実施形態を説明する。
（構成）
図７において、２０は手術用顕微鏡の鏡体であり、この鏡体の先端には対物レンズ２１が内蔵されている。鏡体２０内には対物レンズ２１の出射側に位置してアフォーカル変倍光学系の第１アフォーカルレンズ群２２と第２アフォーカルレンズ群２３が前記対物レンズ２１の光軸Ｏ3 と平行に配置されて設けられている。第１アフォーカルレンズ群２２と第２アフォーカルレンズ群２３はいずれも対称的に配置され、その各対称中心軸は共通する。
【００２３】
これらの対物レンズ２１、第１アフォーカル群２２および第２アフォーカル群２３を上方から見ると、図８で示す如く第１アフォーカル群２２および第２アフォーカル群２３は点対称的に配置されている。すなわち、第１アフォーカル群２２の中心を結ぶ線分と、第２のアフォーカル群２３の中心を結ぶ線分とは直交すると共に、その交点に対称点が一致する。また、この交点は対物レンズ２１の光軸Ｏ3 とも一致している。
【００２４】
前記鏡体２０には第１ハウジング２５が接続され、この第１ハウジング２５内には第１プリズム２６が内蔵されている。第１ハウジング２５には、後述の光軸Ｏ4 を中心に回動すべく第２ハウジング２７が接続されている。第２ハウジング２７は第２プリズム２８を内蔵する。前記第１ハウジング２５および第２ハウジング２７には前述した第１実施形態と同様に接眼鏡筒７ａ，７ｂが接続されている。
【００２５】
次に、第１プリズム２６および光軸について具体的に説明する。第１プリズム２６は入射面２９、半透過半反射面３０および出射面３１を有してなる。第２プリズム２８は出射面３２および全反射面３３を有して成る。前記対物レンズ２１の光軸Ｏ3 は同時に第１ハウジング２５に接続された接眼鏡筒７ａの左右光軸の対称軸であり、さらに、第１プリズム２６から出射する第１出射光の光軸でもある。そして、半透過半反射面３０は前記対物光学系側から入射させた光の一部を第１出射光として透過させる一方、前記光の他の一部を前記入射面２９に対してある角度をもって向かうべく反射させる。さらに入射面２９で反射させた光を出射面３１で反射し、再び前記入射面２９に向け、その入射面２９で反射して第２出射光とするようになっている。つまり、第２出射光の光軸Ｏ4 は前記光軸Ｏ3 が前記半透過半反射面３０から入射面２９、出射面３１、再び入射面２９により偏向されて作られる。
【００２６】
なお、図示しないが、鏡体２０は第１実施形態と同様に鏡体支持アーム、架台のアーム部によって保持される。
（作用）
この手術用顕微鏡で物体面Ｘを観察する場合、その物体面Ｘを発した光は対物レンズ２１を介してアフォーカル光束となり、第１アフォーカルレンズ群２２および第２アフォーカルレンズ群２３にそれぞれ入射する。各アフォーカルレンズ群２２，２３に入射した光はその内部で変倍に必要ないくつかのレンズを介した後、再び４本のアフォーカル光束となり、第１プリズム２６内に入射する。そして、第１プリズム２６の半透過半反射面３０において透過する第１出射光と、反射する第２出射光とに分れる。
【００２７】
半透過半反射面３０を透過した第１出射光のうち第１アフォーカルレンズ群２２からの光束は接眼鏡筒７ａにおける結像光学系８ａを介して結像面Ｙにそれぞれ結像し、物体の左右眼像をつくる。この左右眼像は前記第１アフォーカルレンズ群２２中のレンズの移動によって変倍される。左右眼像は接眼光学系９ａを介して観察者の左右眼に入射する。
【００２８】
一方、前記半透過半反射面３０で反射した光束は前記第１プリズム２６の入射面２９、出射面３１、再び入射面２９と順に反射して第２出射光となり、第２ハウジング２７の第２プリズム２８に入射する。第２プリズム２８に入射した光束は一旦、第２プリズム２８の出射面３２で反射し、再び第２プリズム２８の全反射面３３で反射してから第３出射光となり、このうち第２のアフォーカルレンズ群２３からの光束は結像光学系８ｂを介して結像面Ｙにそれぞれ結像し、物体の左右眼像をつくる。この左右眼像は前記第２のアフォーカルレンズ群２３中のレンズの移動によって変倍される。左右眼像は接眼光学系９ｂを介して、もう１人の観察者の左右眼にそれぞれ入射して観察することになる。
【００２９】
ここで、２人の観察者が接眼鏡筒７ａと接眼鏡筒７ｂを覗き込む相対角度は、９０°であるが、第１のアフォーカルレンズ群２２および第２のアフォーカルレンズ群２３により、それぞれの観察者が作業するにふさわしい正しい向き、正しい視差の左右眼像が提供される。
【００３０】
次に、第１実施形態と同様に物体を横方向から観察するためには前述した如く図３の状態に変形することができる。すなわち、２人の観察者はほぼ横に並んで接眼鏡筒７ａ，７ｂを覗き込むようになるが、それぞれの観察者に第１のアフォーカルレンズ群２２を介した同一の、正しい向き、正しい視差の左右眼像が提供される。
【００３１】
（効果）
本実施形態はアフォーカル変倍光学系のアフォーカルレンズ群を鏡体に内蔵した従来の手術用顕微鏡の形でありながら第１実施形態と同様の作用効果が得られる。また、第１プリズム２６内での反射回数を増すことにより、２人の観察者の距離を離すことができるで手術作業が行い易いものである。
【００３２】
＜第３実施形態＞
図９および図１０を参照して本発明の第３実施形態を説明する。
（構成）
第３実施形態では前述した第２実施形態に比べてその鏡体の構成のみが異なるので、その鏡体以外の説明は省略する。
【００３３】
（構成）
図９において、４０は手術用顕微鏡の鏡体であり、これには対物レンズ４１とアフォーカル変倍光学系のアフォーカルレンズ群４２が設けられている。Ｏ5 は前記対物レンズ４１の光軸であると同時に第１ハウジング２５に接続された接眼鏡筒７の左右光軸の対称軸であり、さらに前記第１プリズム２６から出射する第１出射光の光軸でもある。
【００３４】
（作用）
この手術用顕微鏡で物体面Ｘを観察する場合、その物体面Ｘを発した光は対物レンズ４１を介してアフォーカル光束となり、アフォーカルレンズ群４２に入射する。アフォーカルレンズ群４２に入射した光は変倍に必要ないくつかのレンズを介した後、再び１本のアフォーカル光束となり、第１プリズム２６に入射する。これ以後は第１実施形態や第２実施形態と同様にそれぞれの観察者に正しい向き、正しい視差の左右眼像が提供される。
【００３５】
（効果）
本実施形態では対物光学系を単一の対物レンズ４１と単一のアフォーカルレンズ群４２で構成しているため、図１０に示すごとく前述した第２実施形態の効果に加え、もう１人観察者が光軸Ｏ5 まわりのあらゆる方向からの観察が可能となるという効果が得られる。
【００３６】
＜第４実施形態＞
図１１および図１２を参照して本発明の第４実施形態を説明する。
（構成）
第４実施形態は前述した第３実施形態に比べて第１プリズム４の半透過半反射面１１を透過する第１出射光以後の光路部分のみ異なるので、それ以外の説明は省略する。
【００３７】
（構成）
図１１において、５１は第３プリズム５２を内蔵した第３ハウジングであり、この第３ハウジング５１は第１ハウジング２５に対して光軸Ｏ5 を中心に回動すべく接続されている。前述した第３実施形態において第１、第２ハウジング２５，２７に接続されていた接眼鏡筒７ａ，７ｂは第２ハウジング２７と第３ハウジング５１に対して後述の光軸Ｏ6 ，Ｏ7 を中心に回動すべく接続されている。
【００３８】
次に、第３プリズム５２および光軸Ｏ6 ，Ｏ7 について説明する。第３プリズム５２は第１の全反射面５３、第２の全反射面５４を備える。そして、第３プリズム５２から出射する出射光軸Ｏ6 は前記光軸Ｏ5 が前記第１の全反射面５３と第２の全反射面５４により偏向されて作られる光束の光軸である。Ｏ7 は第２プリズム２８から出射する光束の光軸である。
【００３９】
（作用）
第３プリズムに入射した第１出射光による光束は第１の全反射面５３、第２の全反射面５４で反射して出射し、接眼鏡筒７ａを介して観察者の左右眼に入射する。
【００４０】
図１１のように物体を真上方向から観察している状態から、物体を傾め上方向から観察する状態に変更するために架台のアーム先端部１５に対して鏡体支持アーム１４を回動させると共に、第２ハウジング２７、第３ハウジング５１に対して接眼鏡筒７ａ，７ｂを光軸Ｏ7 ，Ｏ6 を中心に回動させると、図１２の状態に変わる。すなわち、２人の観察者の左右光軸を結ぶ線は水平に保たれる。
【００４１】
（効果）
本実施形態は２つの接眼鏡筒７ａ，７ｂを光軸Ｏ5 に垂直な光軸Ｏ6 ，Ｏ7 まわりに回動自在にしたので、物体を傾め上方向から観察した状態でも楽な姿勢で手術できる上、接眼鏡筒７は光軸Ｏ5 に対してほぼ同条件で観察できるので手術作業を行い易い。
【００４２】
なお、本実施形態では第３プリズム５２をペンタリズムで構成したが、他の２回反射プリズムでも同様の効果が得られることは説明するまでもない。
［付記］
（１）物体からの光を入射しアフォーカル光として出射する対物光学系を内蔵した鏡体と、前記アフォーカル光を結像し物体の左右眼像を作る結像光学系および前記左右眼像をそれぞれ観察者の左右眼に入射せしめる接眼光学系を内蔵した接眼鏡筒とを有する手術用顕微鏡において、前記対物光学系と前記結像光学系との間に、前記対物光学系からの光を透過して入射させる入射面、および前記入射した光の一部を第１出射光として透過させ、前記入射した光の他の一部を前記入射面側へある角度をもって向かうべく反射させる半透過半反射面を有し、かつ前記入射面側へ向かう光を反射し、この反射光を第２出射光とする第１プリズムと、前記第１プリズムから出射する第２出射光の光軸に対してある角度をもって斜めに配置され、かつ前記第２出射光を反射させる第１反射面、および前記第１反射面で反射した前記第２出射光を再び前記第１反射面側に位置して形成した出射面に向かうべく反射させる第２反射面を有し、前記第２反射面で反射した光を前記出射面から出射する第３出射光とする第２プリズムとを配置すると共に、前記第１プリズムは第１ハウジングに内蔵し、前記第２プリズムは第２ハウジングに内蔵し、これら第１ハウジングと第２ハウジングは、前記第１プリズムに対して前記第２プリズムが前記第２出射光の対称軸を中心に回動すべく接続し、さらに前記第１ハウジングの入射側に前記鏡体を接続し、前記第１ハウジングの第１出射光の出射側に第１接眼鏡筒を接続し、前記第２ハウジングの出射側に第２接眼鏡筒を接続したことを特徴とする手術用顕微鏡。
【００４３】
（２）前記対物光学系の左右光軸の対称軸まわりに前記第１プリズムが回動すべく前記鏡体に前記第１ハウジングを接続したことを特徴とする（１）の手術用顕微鏡。
この構成によれば、鏡体に対して第１プリズムを対物光学系の左右光軸まわりに回動させると、第１プリズムを内蔵している第１ハウジング、これに接続された第２ハウジング、さらに、これに接続された接眼鏡筒も回動し、（１）の作用に加えて、もう１箇所で一方の接眼鏡筒の向きに対するもう一方の接眼鏡筒の向きが変わる。
【００４４】
（３）前記対物光学系を単一の対物レンズと共通の対称軸をもつ２組のアフォーカル変倍光学系のアフォーカルレンズ群で構成したことを特徴とする（１）または（２）の手術用顕微鏡。
この構成によれば、第１プリズムを回動し２組のアフォーカルレンズ群の何れかの光軸ともう一方の接眼鏡筒の光軸が一致する位置で観察者の左右眼に観察光（物体からの光）が入射するという作用をもつ。
【００４５】
（４）前記対物光学系を単一の対物レンズと単一のアフォーカル変倍光学系のアフォーカルレンズ群で構成したことを特徴とする（１）または（２）の手術用顕微鏡。
この構成によれば、第１プリズムを回動しても単一のアフォーカルレンズ群の部分光束を結像光学系で結像し、もう一方の接眼鏡筒のあらゆる位置で観察者の左右眼に観察光（物体からの光）が入射するという作用をもつ。
【００４６】
（５）前記第１ハウジングと前記第１ハウジングに接続した接眼鏡筒との間に前記第１プリズムの第１出射光を２回反射して直角に偏向し第４出射光をつくる第３プリズムを配置すると共に、前記第１ハウジングに、前記第３プリズムが前記第１プリズムに対して前記第１出射光の光軸を中心に回動すべく第３ハウジングを接続する一方、前記第３出射光も前記第１出射光に対して直角に出射すべく設定したことを特徴とする（１）〜（４）の手術用顕微鏡。
【００４７】
（６）前記第３プリズムをペンタプリズムで構成したことを特徴とする（５）の手術用顕微鏡。
（５）及び（６）の構成によれば、第１プリズムに入射したアフォーカル光の一部は第１出射る光となり第３プリズムに入射する。第３プリズムに入射した光は２回反射されると共に直角に偏向され第４出射光となり、結像光学系、接眼光学系を介して一方の観察者の左右眼に入射する。ここで第１プリズムに対して第３プリズムを第１出射光の光軸を中心に回動させると、第３プリズムを内蔵している第３ハウジング、さらに、これに接続された接眼鏡筒も回動し、（２）の作用に加えてもう１箇所で一方の接眼鏡筒の向きが変わる。２人の観察者の手術用顕微鏡を覗き込む角度が自由に設定できる。
【００４８】
（７）物体からの光を入射しアフォーカル光として出射する対物光学系を内蔵した鏡体と、前記アフォーカル光を結像し物体の左右眼像を作る結像光学系および前記左右眼像をそれぞれ観察者の左右眼に入射せしめる接眼光学系を内蔵した接眼鏡筒とを有する手術用顕微鏡において、前記対物光学系と前記結像光学系との間に、前記対物光学系からの光の一部を第１出射光として透過させ、前記光の他の一部を第２出射光として反射させる半透過半反射面を有した第１プリズムと、前記第１プリズムからの第２出射光を受け、その第２出射光を反射する反射面と、この反射面で反射した光を第３出射光として出射させる出射面を有する第２プリズムとを配置すると共に、前記第１プリズムは第１ハウジングに内蔵し、前記第２プリズムは第２ハウジングに内蔵し、これら第１ハウジングと第２ハウジングは、前記第１プリズムに対して前記第２プリズムが前記第２出射光の対称軸を中心に回動すべく接続し、さらに前記第１ハウジングの入射側に前記鏡体を接続し、前記第１ハウジングの第１出射光の出射側に第１接眼鏡筒を接続し、前記第２ハウジングの出射側に第２接眼鏡筒を接続したことを特徴とする手術用顕微鏡。
【００４９】
（８）前記第１プリズムは半透過半反射面で反射した第１出射光を反射させる反射面を備え、前記第２プリズムは前記第１プリズムからの第２出射光を受けて最初に反射する第１反射面とこの第１反射面で反射した光を前記出射面に向けて反射する第２反射面とを備え、第２接眼鏡筒は前記第２ハウジングに対して前記第２プリズムから出射する第３出射光の対称軸を中心に回動すべく接続したことを特徴とする（７）の手術用顕微鏡。
【００５０】
（９）前記第１プリズムにおいての、半透過半反射面を含め、第１出射光を反射させる反射面の数と、前記第２プリズムの反射面の数が互いに奇数または偶数の同じ数であることを特徴とする（８）の手術用顕微鏡。
【００５１】
【発明の効果】
以上説明したように本発明は、対物光学系の上方に配置した第１プリズムにより２人の観察者の光束を分割しているので、対物レンズ付近が小型に構成でき、また、９０°反射型のビームスプリッタのようなスペースを占める部材が不要なので、鏡体と接眼鏡筒の間の全光束分のスペースは不要となり、作業空間が広がる。さらに接眼鏡筒が接続されたハウジングが左右の出射光の光軸間の中心に位置する軸まわりに回動自在なものであるために２人の観察者の手術用顕微鏡を覗き込む角度がさまざまに設定でき、作業が容易な姿勢をとることができる。
【図面の簡単な説明】
【図１】第１実施形態に係る手術用顕微鏡の正面図。
【図２】図１中矢印Ａ方向から見た前記手術用顕微鏡の側面図。
【図３】前記手術用顕微鏡の姿勢を変えた状態の側面図。
【図４】図３中矢印Ｂ方向から見た前記手術用顕微鏡の下面図。
【図５】前記手術用顕微鏡を他の状態に姿勢を変えた図。
【図６】前記手術用顕微鏡を他の状態に姿勢を変えた図。
【図７】第２実施形態に係る手術用顕微鏡の正面図。
【図８】同じく第２実施形態に係る手術用顕微鏡の鏡体の内部構造の平面図。
【図９】第３実施形態に係る手術用顕微鏡の正面図。
【図１０】同じく第３実施形態に係る手術用顕微鏡の姿勢を変えた状態の正面図。
【図１１】第３実施形態に係る手術用顕微鏡の正面図。
【図１２】同じく第３実施形態に係る手術用顕微鏡の姿勢を変えた状態の側面図。
【符号の説明】
１…手術用顕微鏡の鏡体、２…対物光学系の対物レンズ、３…第１ハウジング、４…第１プリズム、５…第２ハウジング、６…第２プリズム、７ａ，７ｂ…接眼鏡筒、８ａ，８ｂ…結像光学系、９ａ，９ｂ…接眼光学系、１０…入射面、１１…半透過半反射面、１２…出射面、１３…全反射面、Ｏ1 …光軸、Ｏ2 …光軸、Ｏ3 …中心軸。
【図１】
0003944262.tif 000002
【図２】
0003944262.tif 000003
【図３】
0003944262.tif 000004
【図４】
0003944262.tif 000005
【図５】
0003944262.tif 000006
【図６】
0003944262.tif 000007
【図７】
0003944262.tif 000008
【図８】
0003944262.tif 000009
【図９】
0003944262.tif 000010
【図１０】
0003944262.tif 000011
【図１１】
0003944262.tif 000012
【図１２】
0003944262.tif 000013